(57)【要約】【課題】ハードディスクドライブが正常であるか異常であるかを簡単に把握することができるハードディスクドライブのケースを提供する。【解決手段】直方体状のハードディスクドライブのケースであって、該ケースを構成する６面のうち底面を除くいずれかの面に、該ケースに内蔵されるハードディスクドライブの動作状態についての診断結果に基づき表示を行う、複数のＬＥＤ表示部を備えることを特徴とするハードディスクドライブのケース。【選択図】図１
0003178766.tif 000002
【実用新案登録請求の範囲】
【請求項１】
直方体状のハードディスクドライブのケースであって、該ケースを構成する６面のうち底面を除くいずれかの面に、該ケースに内蔵されるハードディスクドライブの動作状態についての診断結果に基づき表示を行う、複数のＬＥＤ表示部を備えることを特徴とするハードディスクドライブのケース。
【請求項２】
前記ＬＥＤ表示部は、前記ハードディスクドライブが正常な状態であることを示す正常表示部と、前記ハードディスクドライブが注意が必要な注意状態であることを示す注意表示部と、前記ハードディスクドライブが故障している故障状態であることを示す故障表示部と、を有することを特徴とする請求項１に記載のハードディスクドライブのケース。
【請求項３】
前記正常表示部と、前記注意表示部と、前記故障表示部のそれぞれのＬＥＤは、互いに異なる色で発光することを特徴とする請求項２に記載のハードディスクドライブのケース。
【考案の詳細な説明】
【技術分野】
【０００１】
本考案は、ハードディスクドライブのケースに関し、特に、ハードディスクドライブの動作状態に関する診断結果を表示する表示部を備える、ハードディスクドライブのケースに関するものである。
【背景技術】
【０００２】
従来、パーソナルコンピュータ（ＰＣ）等の外部記憶装置として、外付けハードディスクドライブ（ＨＤＤ）が用いられている。近年では、デジタルテレビや地上デジタルチューナーなどの映像装置の外部記憶装置としても使用されるようになり、その用途は拡大している。
【０００３】
外付けＨＤＤは、ＨＤＤ本体と、ＨＤＤを収容するケースなどから構成される。
【考案の概要】
【考案が解決しようとする課題】
【０００４】
外付けＨＤＤは、長期間の使用などによりＨＤＤ自体（ＨＤＤ本体）に不具合が生じ始めていても、その不調を把握することは困難である。特にテレビなどコンピュータ以外の装置に直接接続して用いられる場合には、コンピュータに接続する場合のようにソフトを実行してＨＤＤを診断することはできないので、不調を把握することがさらに困難である。
【０００５】
本考案はこのようなハードディスクドライブの課題を解決するものであり、ハードディスクドライブが正常であるか異常であるかを簡単に把握することができるハードディスクドライブのケースを提供することを目的とする。
【課題を解決するための手段】
【０００６】
本考案は上記課題を解決するためになされたものであり、その考案の要旨とするところは以下のとおりである。
【０００７】
（１）直方体状のハードディスクドライブのケースであって、該ケースを構成する６面のうち底面を除くいずれかの面に、該ケースに内蔵されるハードディスクドライブの動作状態についての診断結果に基づき表示を行う、複数のＬＥＤ表示部を備えることを特徴とするハードディスクドライブのケース。
【０００８】
（２）上記（１）の構成において、前記ＬＥＤ表示部は、前記ハードディスクドライブが正常な状態であることを示す正常表示部と、前記ハードディスクドライブが注意が必要な注意状態であることを示す注意表示部と、前記ハードディスクドライブが故障している故障状態であることを示す故障表示部と、を有することを特徴とするハードディスクドライブのケース。
【０００９】
（３）上記（２）の構成において、前記正常表示部と、前記注意表示部と、前記故障表示部のそれぞれのＬＥＤは、互いに異なる色で発光することを特徴とするハードディスクドライブのケース。
【考案の効果】
【００１０】
本考案によれば、ハードディスクドライブが正常であるか異常であるかを簡単に把握することができるハードディスクドライブのケースを提供することができる。
【図面の簡単な説明】
【００１１】
【図１】ハードディスクドライブのケースの正面図である。
【図２】ハードディスクドライブのケースの側面図である。
【図３】ＨＤＤケースの機能を示す機能ブロック図である。
【考案を実施するための形態】
【００１２】
以下、本考案の実施形態について、図面を参照しつつ説明する。
【００１３】
図１は、本実施形態のハードディスクドライブ（ＨＤＤ）のケース（以下、ＨＤＤケースとよぶ）１の一側面を示す図である。図２は、ＨＤＤケース１の他の側面を示す図である。
【００１４】
本実施形態のＨＤＤケース１は直方体状のケースであり、該ケースを構成する６面のうち底面を除くいずれかの面に、ＬＥＤ表示部を有する。本実施形態では、図１に示す一側面にＬＥＤ表示部が配置される。以下、ＨＤＤケース１の図１に示すＬＥＤ表示部を有する面を正面とする。図１に示す面を正面とした場合には、図２に示す面は右側面である。
【００１５】
そして、本実施形態のＬＥＤ表示部は、複数のＬＥＤ表示部で構成される。複数のＬＥＤ表示部は、ＨＤＤケース１の正面部の左右方向（Ｘ軸方向）片側（本実施形態では、向かって左側）に、上下（Ｚ軸方向）に並んで配置される。ＨＤＤケース１は、複数のＬＥＤ表示部として、ＨＤＤ状態表示部２と、診断処理表示部４と、アクセス表示部６と、電源表示部８と、を備える。
【００１６】
ＨＤＤ状態表示部２は、図１に示す正面部における、上側３つのＬＥＤによる表示部である。後述するＨＤＤケース１の機能によりＨＤＤが正常であるのか、それとも何らかの異常があるのかの診断が行われると、ＨＤＤ状態表示部２は各表示部に配置されるＬＥＤの点灯によりその診断結果を表示する。本実施形態では診断の結果を３段階で表示する。具体的にはＨＤＤ状態表示部２は、正常表示部２ａと、注意表示部２ｂと、故障表示部２ｃと、を備える。
【００１７】
正常表示部２ａは、診断の結果、ＨＤＤ本体は正常（ＧＯＯＤ）であったことを示す表示部である。本実施形態では、正常表示部２ａは緑色に点灯する。
【００１８】
注意表示部２ｂは、診断の結果、ＨＤＤ本体に何らかの問題があり、注意が必要な注意状態（ＣＡＵＴＩＯＮ）であることを示す表示部である。本実施形態では、注意表示部２ｂは黄色に点灯する。
【００１９】
故障表示部２ｃは、診断の結果、ＨＤＤ本体が完全に故障しており使用できない故障状態（ＢＡＤ）であることを示す表示部である。本実施形態では、故障表示部２ｃは赤色に点灯する。
【００２０】
なお本実施形態では、ＨＤＤ状態表示部２の正常表示部２ａと、注意表示部２ｂと、故障表示部２ｃはそれぞれ異なる色の光で点灯するとしたが、これに限られない。各ＬＥＤの表示部の横に文字で正常、注意、故障などと記載しておくなど、各ＬＥＤの点灯が何を意味するのかをユーザが把握できるようにしておけば各表示部の発光の色が重複してもよい。
【００２１】
診断処理表示部４は、後述するＨＤＤケース１の機能である、ＨＤＤ本体の診断処理が行われていることをＬＥＤの点灯あるいは点滅により知らせる。
【００２２】
アクセス表示部６は、ＨＤＤケース１に収容されるＨＤＤとＨＤＤに接続される外部の装置との間でデータのやりとりが行われていることを、ＬＥＤの点灯あるいは点滅により知らせる。ＬＥＤの色は特に限定されないが、本実施形態では赤色のＬＥＤでアクセスを表示する。
【００２３】
電源表示部８は、ＨＤＤケース１に電力が供給されていることを、ＬＥＤの点灯により知らせる。ＬＥＤの色は特に限定されないが、本実施形態では青色のＬＥＤで表示する。
【００２４】
また、ＨＤＤケース１は、図２において「接続端子側」と矢印で示しているケースの背面に、ＵＳＢケーブルを接続するＵＳＢ端子１０を備える。ＵＳＢ端子１０に接続されるＵＳＢケーブルにより、ＰＣあるいはテレビなどの外付けハードディスクを接続可能な装置とＨＤＤケース１とが接続される。
【００２５】
ＨＤＤケース１の背面にはその他に電源のオン／オフを切り替えるスイッチなどを備えてもよい。
【００２６】
また、ＨＤＤケース１は、ＨＤＤケース１の制御部として、プロセッサ１２とメモリ１４とを備える。プロセッサ１２はメモリ１４に格納されるプログラムを実行して様々な処理を行う。本実施形態ではプロセッサ１２は、ＨＤＤ診断処理プログラムを実行してＨＤＤ本体の診断処理を行い、各種表示部のＬＥＤの点灯、点滅を制御する。プロセッサ１２は、ＣＰＵ（Central Processing Unit）やＭＰＵ（Micro Processing Unit）などである。メモリ１４はプロセッサ１２によって実行されるプログラムなどを格納する記憶装置である。なお、この制御部によって実現される機能の一部又は全部を、ＡＳＩＣ（Application Specific Integrated Circuit）などの専用の回路によって実現してもよい。
【００２７】
以上のＨＤＤケース１は、その内部にＳＡＴＡ規格やＩＤＥ規格などの接続端子を備え、２．５インチのＨＤＤや３．５インチのＨＤＤなどを収容することができる。
【００２８】
次に本実施形態のＨＤＤケース１の機能を説明する。図３は、ＨＤＤケース１の機能ブロックを示す機能ブロック図である。これらの機能は、上述の通りプロセッサ１２がメモリ１４に格納されるプログラムを実行することにより（又はＡＳＩＣにより）実現される。
【００２９】
ＨＤＤケース１は、診断部１００と、表示制御部１０２と、データ通信制御部１０４と、電源制御部１０６と、を備える。
【００３０】
診断部１００は、ＨＤＤ本体が正常に動作しているか否かを診断する。診断部１００は、ＨＤＤが備える自己診断機能であるSelf-Monitoring, Analysis and Reporting Technology（Ｓ．Ｍ．Ａ．Ｒ．Ｔ．）を利用する。診断部１００は、Ｓ．Ｍ．Ａ．Ｒ．Ｔ．機能によって生成されたＨＤＤの診断データを取得する。診断部１００は取得した診断データに基づき、正常の程度を１００分率で評価する（以下、正常の程度を示す１００分率の値を「健康値」とも呼ぶ）。本実施形態では、診断部１００は健康値１００％の場合を正常状態とし、健康値９９〜３０％の場合を注意状態とし、３０％未満の場合を故障状態とする。診断部１００は定期的にあるいは所定のタイミングでＨＤＤの診断を行ってもよいし、ＨＤＤケース１に診断実行を指示する入力部を設けて、入力部からの診断実行指示があった場合に行ってもよい。
【００３１】
本実施形態の診断部１００はＳ．Ｍ．Ａ．Ｒ．Ｔ．により検査される項目のうち、ＩＤ  ０５：Reallocated Sectors Count（代替処理済みの不良セクタ数）と、ＩＤ  ０７：Seek Error Rate（シークエラーレート）と、ＩＤ  ０Ａ：Spin Retry Count（スピンアップ再試行回数）と、ＩＤ  Ｃ４：Reallocation Event Count（セクタ代替処理発生回数）と、ＩＤ  Ｃ５：Current Pending Sector Count（代替処理保留中のセクタ数）と、ＩＤ  Ｃ６：Off-Line Scan Uncorrectable Sector Count（回復不可能セクタ数）と、の６つの項目のデータを用いて診断を行う。診断部１００は、さらに他の項目のデータを用いて診断を行ってもよい。
【００３２】
表示制御部１０２は、診断部１００によって算出された健康値に基づき、ＨＤＤ状態表示部２のいずれかの表示部を点灯させる。具体的には、診断部１００がＨＤＤの健康値が１００％と診断した場合には正常表示部２ａのＬＥＤを点灯させる。また、診断部１００がＨＤＤの健康値が９９〜３０％と診断した場合には注意表示部２ｂのＬＥＤを点灯させる。また、診断部１００がＨＤＤの健康値が３０％未満と診断した場合には故障表示部２ｃのＬＥＤを点灯させる。また、表示制御部１０２は、診断部１００によって診断処理が行われている際に、診断処理表示部４のＬＥＤを点灯または点滅させる。
【００３３】
データ通信制御部１０４は、ＵＳＢ端子１０に接続されるＵＳＢケーブルを介して外部のＰＣやテレビなどの装置との間で行われるデータ通信を制御する。また、データ通信制御部１０４は、データ通信が行われている場合にアクセス表示部６のＬＥＤを点灯あるいは点滅させる。
【００３４】
電源制御部１０６は、ＨＤＤへの電力供給を制御する。本実施形態ではＵＳＢバスパワーによりＨＤＤケース１に電力が供給される。電源制御部１０６は、ＵＳＢバスパワーによるＨＤＤへの電力供給を制御する。また、電源制御部１０６は、ＵＳＢバスパワーにより電力が供給されている場合には、電源表示部８のＬＥＤを点灯させる。
【００３５】
以上説明した本実施形態のＨＤＤケース１によれば、ＨＤＤが使用されている状態において、ケース内に収容されたＨＤＤ本体が正常であるか異常であるかを特別な操作をすることなく一目で確認することができる。これにより、たとえば注意表示部２ｂのＬＥＤが点灯して注意状態であることを確認した場合に、完全に故障状態になる前にデータのバックアップを取るなどしてデータを保全したり、修理をしてデータ読み込みが不可能になってしまうことを防いだりすることができる。従って、より安全に外付けＨＤＤを使用することができる。
【００３６】
本考案を特定の態様により詳細に説明したが、本考案の精神および範囲を逸脱しないかぎり、様々な変更および改質がなされ得ることは、当業者には自明であろう。
【００３７】
以上に詳述したように、本考案によれば、ハードディスクドライブが正常であるか異常であるかを簡単に把握することができるハードディスクドライブのケースを提供することができる。
【符号の説明】
【００３８】
１      ＨＤＤケース
２      ＨＤＤ状態表示部
２ａ    正常表示部
２ｂ    注意表示部
２ｃ    故障表示部
４      診断処理表示部
６      アクセス表示部
８      電源表示部
１０    ＵＳＢ端子
１２    プロセッサ
１４    メモリ
１００  診断部
１０２  表示制御部
１０４  データ通信制御部
１０６  電源制御部
【図１】
0003178766.tif 000003
【図２】
0003178766.tif 000004
【図３】
0003178766.tif 000005